(57)【要約】      （修正有）【課題】剥離片（剥離ライナー）付両面粘着テープを、剥離片が容易に粘着テープから分離出来て、片手で容易に貼り付けを可能とする剥離片付両面粘着テープカッターを提供することである。【解決手段】箱型の容器本体に剥離片ガイドとセパレーターを設け、セパレーターの刃に拠って分離した剥離片が剥離片ガイドに導かれて容器本体の外部に引き出され、粘着テープが容器本体の底面に設ける開口部を通して貼り付けられるようにして課題を解決している。【選択図】図１
2005132625.tif 000002
【特許請求の範囲】
【請求項１】
容器本体と片側に着脱自在な容器カバーから成る箱型の容器内に剥離片付両面粘着テープの挿入を可能とし、前記容器本体の前方側面に、湾曲する剥離片ガイドと、その下方に、先端部が鋭角の刃状に形成され一部が上方に湾曲するセパレーターを剥離片程度の間隙を置いて設け、前記容器本体の上側面に剥離片開口部と低側面に粘着テープ開口部を開口するとともに、前記それぞれの開口部の近傍に切刃を設けて成るセパレーター付両面粘着テープのカッター容器。
【発明の詳細な説明】
【技術分野】
【０００１】  本発明は、剥離片を有する両面粘着テープカッター容器に関するものである。
【背景技術】
【０００２】  現在、剥離片付き両面粘着テープは、非常に便利なものとして利用されているが、その使用に際しては、剥離片が手元で絡んだり、剥離片を剥がすのに手間取り、又片手で貼り付けることが出来ず更に複数箇所を貼り付ける場合には不便さが際立て顕著に表れる等の問題を抱えている。
具体的には、剥離片付き両面粘着テープを使用する際、指で千切るか挟みで切るなどして剥離片をつけたままの状態で貼り付けをした後に剥離片を剥離して貼り付けを完了するものである。このとき、両面粘着テープと剥離片が一体となって貼り付け面に貼りついており、剥離片の端を爪などで剥がそうとしても、剥離片に厚みが無いために容易に剥がすことが出来ずに往々にして粘着テープの端が団子状になる或いは平坦に貼らされずに綺麗に仕上がらない等の問題である。
剥離片付両面テープは粘着度が高いので無剥離片両面テープとすることは困難であり、現状では、剥離片を使用時に、自動的に剥離させる構造の剥離片付両面粘着テープのカッター容器は無い。
【特許文献１】    実開昭５３−６３３８０
【特許文献２】    特開平５−３３８９００
【特許文献３】    特開平９−２６７９６５
【特許文献４】    特開２０００−３１８９１６
【発明の開示】
【発明が解決しようとする課題】
【０００３】  本発明は、上記問題に関しなされたもので、剥離片付両面テープを使用する際に、自動的に剥離片が両面粘着テープから分離し且つ両面テープの貼り付けを、手を触れずに片手で容易に使用できるカッター容器を提供することである。
【課題を解決するための手段】
【０００４】  片側が開口し、該開口部を着脱自在に嵌装する容器カバーとに依り構成する箱型容器本体の他側面内部にテープ保持体を突設し、該容器本体の上下側面の端近傍に剥離片及び両面粘着テープを取り出すための開口部を設けるとともに、該開口部を設ける側の前側面の上方部に、剥離片が案内されて上面の剥離片開口部に導かれる剥離片ガイドを湾曲させて形成し、該剥離片ガイドの下方に、先端部が鋭角の刃状で一部が、前記剥離片ガイドとの間に剥離片より多少大きめの間隙を有し、湾曲する剥離片ガイドの曲率に略等しい曲率で上方に向けて湾曲するセパレーターを形成し、前記粘着テープ開口部と前記テープ保持体との間に剥離片巻込み防止壁を立設し、前記粘着テープ開口部の外側前方にテープ押さえ及びその外側に粘着テープ切刃を設け、前記剥離片開口部の外側前後に剥離片切刃と剥離片押さえを設けて成る、粘着テープを貼り付けると同時に剥離片が自動的に分離されカットされるセパレータ付両面粘着テープカッター容器として課題を解決している。
【発明の効果】
【０００５】  両面粘着テープを貼り付けると同時に剥離片が自動的に分離される事により、爪でいちいち剥離片を剥がす必要がなくなり、貼り付け面における所定の長さに見合わせて片手で貼り付けることが出来、繰り返して貼り付けが出来るようになり、従来にない、極めて容易に剥離片付両面テープの貼り付けを行う事の出来る、課題を十二分に解決している固有の効果を有するものである。
【発明を実施するための最良の形態】
【０００６】  容器本体前方に湾曲する剥離片ガイドと先端部が鋭角の刃状の辺或いは突起として形成し、剥離片付粘着テープの剥離片と粘着テープの開口部を、可能な限り容器本体の上下側面の外側に開口する事により、剥離片を容器の上方に導き切断することで使用し易いものとなる他に、剥離片巻込み防止壁をセパレータの近傍に立設することにより、より効果的なものと成る。
【実施例１】
【０００７】  図１は本発明における一実施例を示す横断面図であり、図２は同実施例の分解斜視図であり、図３は同実施例の使用状態を示す斜視図である。
Ｕ字状の片側側面が開口している箱型容器本体１１の側面内側に、剥離片付両面粘着テープ１２が嵌装されるテープ保持体１４を突設し、テープ嵌装後に容器カバー１３により蓋をして使用する容器である。
容器本体１１の前方上下側面に、剥離片付両面テープ１２の剥離片９が引き出される剥離片開口部１６と両面粘着テープ４が引き出される両面粘着テープ開口部５、１５が開口されており、容器本体１１の前側面には、剥離片９が案内されて剥離片開口部１６に連続して導かれるように湾曲する剥離片ガイド１と、その下方に剥離片９と両面粘着テープ４を分離する、先端部が鋭角の刃状に形成され上方に湾曲するセパレーター６を設けてある。セパレーター６と剥離片ガイド１とは剥離片９の厚さに略等しい程度の間隙を有し、セパレーター６の湾曲部は剥離片ガイド１の湾曲と同程度の曲率で設けられるものである。
剥離片開口部１６の前方に剥離片切刃８と後方に剥離片押さえ１０及び両面粘着テープ開口部５、１５の前方に粘着テープ押さえ３とその前方にテープ切刃３を設け、両面粘着テープ開口部５，１５の後方適宜位置に板状の剥離片巻込み防止壁７を、セパレーター６との間隙を両面粘着テープが通過することの出来る程度に容器本体１１の底部に立設してカッター容器全体を構成している。【０００８】  剥離片付両面粘着テープ１２を容器本体１１内に挿入後、その先端部をセパレーター６の方に少し引き出し指で剥離片９と両面粘着テープ４とを分離して、剥離片９を剥離片ガイド１の方へ導き剥離片開口部１６から容器本体１１の外側に引き出し、両面粘着テープ４を、セパレーター６の下側と剥離片巻込み防止壁７の間を通して粘着テープ開口部５，１５から容器本体１１の外側に引き出し粘着テープ押さえ３の位置に来る程度に合わせてから容器カバー１３を取り付けて貼り付け準備が完了する。【０００９】  貼り付けを実行する時には、容器本体１１を手に持ち両面粘着テープ開口部５，１５から出ている両面粘着テープ４を貼り付け面に当て粘着テープ押さえ３で軽く押さえつけ、貼着したら容器本体１１を軽く浮かせて貼付方向へ引いて移動させると剥離片９と両面粘着テープ４はセパレーター６に拠って自動的に分離され剥離片９は剥離片ガイド１に沿って移動し剥離片開口部１６から飛び出して貼り付け面を邪魔することが無くなる。
又，剥離片９及び両面粘着テープ４はそれぞれ別個に切ることが出来、適に実行すればよいことになる。
【実施例２】
【００１０】  図４、図５及び図６には、本発明に関わる剥離片付両面粘着テープ１２の剥離片９と両面粘着テープ４とを分離するセパレーターの実施例を部分斜視図として示してある。
図４における実施例のセパレーター６の形状は、先端部が先の尖った三角形状をなすものであり、図５に示すものは先端部を四角型突起刃として形成するものであり、図６に示す実施例にあっては、先端部を平坦刃として形成するものである。
セパレーター６の形状としては、上記の形状以外にも先端部が例えば円弧状等のものも考えられ、その形状については、先端が鋭角の刃状に形成されており、上方に向かって一部が湾曲しているものであれば、その選択は自由である。【００１１】  以上、本発明の実施態様を図示する実施例に従って詳述したが、容器本体１１の形状もＵ字状に限るものではなく容器カバー１３の取り付け方法、粘着テープ押さえ３及び剥離片押さえ８の或いは剥離片巻込み防止壁７の位置、形状等の設計は自由であり、切刃の形状等も図示の鋸状以外の選択も適に実施できることは当然である。
【産業上の利用可能性】
【００１２】  主たる構成部即ちセパレーター６、剥離片ガイド、剥離片巻込み防止壁７及び剥離片押さえ１０、粘着テープ押さえ３を容器本体１１と一体的に、例えばプラスチック材等で形成することでより経済的なものとなる。
【図面の簡単な説明】
【００１３】
【図１】  本発明の一実施例を示す横断面図である。
【図２】  図１における実施例の分解斜視図である。
【図３】  図１に示す実施例の一使用状態斜視図である。
【図４】  セパレーターの実施例を示す部分斜視図である。
【図５】  他のセパレーターの実施例を示す部分斜視図である。
【図６】  更に他のセパレーターの実施例を示す部分斜視図である。
【符号の説明】
【００１６】  １      剥離片ガイド
２      テープ切刃
３      テープ押さえ
４      両面粘着テープ
５      両面粘着テープ開口部
６      セパレーター
７      剥離片巻込み防止壁
８      剥離片切刃
９      剥離片
１０    剥離片押さえ
１１    容器本体
１２    剥離片付両面粘着テープ
１３    容器カバー
１４    テープ保持体
１５    両面粘着テープ開口部
１６    剥離片開口部
【図１】
2005132625.tif 000003
【図２】
2005132625.tif 000004
【図３】
2005132625.tif 000005
【図４】
2005132625.tif 000006
【図５】
2005132625.tif 000007
【図６】
2005132625.tif 000008